(57)【要約】【課題】他の検索サイトとの差別化を図り、利用者のアクセス回数を向上させる。【解決手段】ＡＡＡ社／ＤＤＤ社に対して、各社のＷｅｂページに１０点／５点のポイントを付与することを条件として、所定の対価を徴収する契約を締結する。一般の利用者から所定のキーワードを用いた検索があったとき、検索条件に合致するＷｅｂページのタイトルＴ（Ａ）〜Ｔ（Ｅ）および概要説明文Ｓ（Ａ）〜Ｓ（Ｅ）とともに、ポイント標識Ｐ（Ａ）〜Ｐ（Ｅ）を一覧リストとして提示する。このとき、契約対象となるＷｅｂページについては、契約したポイント値を表示し、その他のＷｅｂページについては最低の１点を表示する。利用者が、ポイント標識Ｐ（Ａ）をクリックすると、当該利用者に１０点のサービスポイントが付加された後、ＡＡＡ社のＷｅｂページが表示される。【選択図】        図１０
2004234290.tif 000002
【特許請求の範囲】
【請求項１】
Ｗｅｂブラウザの機能をもった端末装置からの利用者によるアクセスに応じて、所定の条件に合致するＷｅｂページの検索を行い、検索結果を前記Ｗｅｂブラウザの画面上に表示させる処理を行うＷｅｂページ検索システムであって、
前記Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
前記検索条件により、前記Ｗｅｂページデータベースを検索し、条件に合致するＷｅｂページを抽出する検索実行部と、
前記検索実行部により抽出されたＷｅｂページの情報を一覧リストとして前記Ｗｅｂブラウザに表示させるための検索結果情報を作成する検索結果作成部と、
前記検索結果情報を前記Ｗｅｂブラウザへ送信する検索結果送信部と、
前記Ｗｅｂブラウザからのアクセスに応じて、アクセスを行った利用者を特定し、当該利用者に所定のサービスポイントを付与する処理を行うポイント付与処理部と、
を備え、
前記検索結果情報を受信した前記Ｗｅｂブラウザ上で、前記検索実行部によって抽出された個々のＷｅｂページの少なくともタイトルもしくはＵＲＬがリストとして表示されるとともに、所定のサービスポイントの付与が受けられる旨を示すポイント標識が表示され、かつ、タイトルもしくはＵＲＬをクリックすることにより当該タイトルもしくはＵＲＬに対応するＷｅｂページへのアクセスが実行され、ポイント標識をクリックすることにより前記ポイント付与処理部へのアクセスが実行されるように、前記検索結果情報に、所定のＵＲＬ情報およびポイント標識の表示に必要な情報が組み込まれるようにしたことを特徴とするＷｅｂページ検索システム。
【請求項２】
Ｗｅｂブラウザの機能をもった端末装置からの利用者によるアクセスに応じて、所定の条件に合致するＷｅｂページの検索を行い、検索結果を前記Ｗｅｂブラウザの画面上に表示させる処理を行うＷｅｂページ検索システムであって、
前記Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
前記検索条件により、前記Ｗｅｂページデータベースを検索し、条件に合致するＷｅｂページを抽出する検索実行部と、
前記検索実行部により抽出されたＷｅｂページの情報を一覧リストとして前記Ｗｅｂブラウザに表示させるための検索結果情報を作成する検索結果作成部と、
前記検索結果情報を前記Ｗｅｂブラウザへ送信する検索結果送信部と、
前記Ｗｅｂブラウザから、特定のポイント値および特定のＵＲＬを指定するアクセスがあった場合に、アクセスを行った利用者を特定し、当該利用者に前記特定のポイント値に相当するサービスポイントを付与する処理を行った後、前記Ｗｅｂブラウザに前記特定のＵＲＬをアクセスする処理を実行させるポイント付与処理部と、
を備え、
前記検索結果情報を受信した前記Ｗｅｂブラウザ上で、前記検索実行部によって抽出された個々のＷｅｂページの少なくともタイトルもしくはＵＲＬがリストとして表示されるとともに、一部もしくは全部のタイトルもしくはＵＲＬの近傍に、それぞれ所定のポイント値をもったサービスポイントの付与が受けられる旨を示すポイント標識が表示され、かつ、タイトルもしくはＵＲＬをクリックすることにより当該タイトルもしくはＵＲＬに対応するＷｅｂページへのアクセスが実行され、ポイント標識をクリックすることにより、当該ポイント標識に示されたポイント値と、当該ポイント標識の近傍に表示されているタイトルもしくはＵＲＬに対応するＷｅｂページのＵＲＬとを、それぞれ特定のポイント値および特定のＵＲＬとして指定して、前記ポイント付与処理部へのアクセスが実行されるように、前記検索結果情報に、所定のＵＲＬ情報およびポイント標識の表示に必要な情報が組み込まれるようにしたことを特徴とするＷｅｂページ検索システム。
【請求項３】
請求項２に記載のシステムにおいて、
個々のＷｅｂページについて所定のポイント値を対応させたポイント値対応テーブルを更に備え、
検索結果作成部は、前記ポイント値対応テーブルを参照することにより、抽出した各Ｗｅｂページについて、それぞれ対応するポイント値を決定し、個々のポイント標識には、その近傍にタイトルもしくはＵＲＬが表示されているＷｅｂページに対応するポイント値が示されるように、検索結果情報を作成することを特徴とするＷｅｂページ検索システム。
【請求項４】
Ｗｅｂブラウザの機能をもった端末装置からの利用者によるアクセスに応じて、所定の条件に合致するＷｅｂページの検索を行い、検索結果を前記Ｗｅｂブラウザの画面上に表示させる処理を行うＷｅｂページ検索システムであって、
前記Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
前記検索条件により、前記Ｗｅｂページデータベースを検索し、条件に合致するＷｅｂページを抽出する検索実行部と、
前記検索実行部により抽出されたＷｅｂページの情報を一覧リストとして前記Ｗｅｂブラウザに表示させるための検索結果情報を作成する検索結果作成部と、
前記検索結果情報を前記Ｗｅｂブラウザへ送信する検索結果送信部と、
前記Ｗｅｂブラウザから、特定のＵＲＬを指定するアクセスがあった場合に、アクセスを行った利用者を特定し、当該利用者に前記特定のＵＲＬに応じた特定のポイント値に相当するサービスポイントを付与する処理を行った後、前記Ｗｅｂブラウザに前記特定のＵＲＬをアクセスする処理を実行させるポイント付与処理部と、
を備え、
前記検索結果情報を受信した前記Ｗｅｂブラウザ上で、前記検索実行部によって抽出された個々のＷｅｂページの少なくともタイトルもしくはＵＲＬがリストとして表示されるとともに、一部もしくは全部のタイトルもしくはＵＲＬの近傍に、それぞれ所定のポイント値をもったサービスポイントの付与が受けられる旨を示すポイント標識が表示され、かつ、タイトルもしくはＵＲＬをクリックすることにより当該タイトルもしくはＵＲＬに対応するＷｅｂページへのアクセスが実行され、ポイント標識をクリックすることにより、当該ポイント標識の近傍に表示されているタイトルもしくはＵＲＬに対応するＷｅｂページのＵＲＬを特定のＵＲＬとして指定して、前記ポイント付与処理部へのアクセスが実行されるように、前記検索結果情報に、所定のＵＲＬ情報およびポイント標識の表示に必要な情報が組み込まれるようにしたことを特徴とするＷｅｂページ検索システム。
【請求項５】
請求項４に記載のシステムにおいて、
個々のＷｅｂページについて所定のポイント値を対応させたポイント値対応テーブルを更に備え、
検索結果作成部は、前記ポイント値対応テーブルを参照することにより、抽出した各Ｗｅｂページについて、それぞれ対応するポイント値を決定し、個々のポイント標識には、その近傍にタイトルもしくはＵＲＬが表示されているＷｅｂページに対応するポイント値が示されるように、検索結果情報を作成し、
ポイント付与処理部は、前記ポイント値対応テーブルを参照することにより、アクセス時に指定された特定のＵＲＬに応じたポイント値を決定することを特徴とするＷｅｂページ検索システム。
【請求項６】
請求項３または５に記載のシステムにおいて、
ポイント値対応テーブルには、一部のＷｅｂページについては、標準より大きなポイント値を対応づける情報が用意されており、別な一部のＷｅｂページについては、標準より小さなポイント値を対応づける情報が用意されており、
検索結果作成部もしくはポイント付与処理部は、前記ポイント値対応テーブルに情報が用意されているＷｅｂページについては、当該情報に基づいてポイント値を対応づけ、前記ポイント値対応テーブルに情報が用意されていないＷｅｂページについては、標準となるポイント値を対応づけることを特徴とするＷｅｂページ検索システム。
【請求項７】
請求項３、５または６に記載のシステムにおいて、
ポイント値０が対応づけられたＷｅｂページのタイトルもしくはＵＲＬ近傍には、ポイント標識が表示されないようにしたことを特徴とするＷｅｂページ検索システム。
【請求項８】
Ｗｅｂブラウザの機能をもった端末装置からの利用者によるアクセスに応じて、所定の条件に合致するＷｅｂページの検索を行い、検索結果を前記Ｗｅｂブラウザの画面上に表示させる処理を行うＷｅｂページ検索システムであって、
前記Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
前記検索条件により、前記Ｗｅｂページデータベースを検索し、条件に合致するＷｅｂページを抽出する検索実行部と、
前記検索実行部により抽出されたＷｅｂページの情報を一覧リストとして前記Ｗｅｂブラウザに表示させるための検索結果情報を作成する検索結果作成部と、
前記検索結果情報を前記Ｗｅｂブラウザへ送信する検索結果送信部と、
前記Ｗｅｂブラウザからのアクセスに応じて、アクセスを行った利用者を特定し、当該利用者に所定のサービスポイントを付与する処理を行うポイント付与処理部と、
前記ポイント付与処理部へのリンクが定義されている特定のＷｅｂページについて、特定のポイント値を対応させたポイント値対応テーブルと、
を備え、
前記Ｗｅｂブラウザから、前記特定のＷｅｂページからのリンクを経て前記ポイント付与処理部にアクセスがあった場合に、リンク元となるＷｅｂページに対応する特定のポイント値に相当するサービスポイントを付与する処理が行われるようにし、
前記検索結果情報を受信した前記Ｗｅｂブラウザ上で、前記検索実行部によって抽出された個々のＷｅｂページの少なくともタイトルもしくはＵＲＬがリストとして表示されるとともに、前記ポイント値対応テーブルに情報が用意されているＷｅｂページのタイトルもしくはＵＲＬの近傍に、当該情報に基づいて対応づけられたポイント値を示すポイント標識が表示され、かつ、タイトル、ＵＲＬもしくはポイント標識をクリックすることによりこれに対応するＷｅｂページへのアクセスが実行されるように、前記検索結果情報に、所定のＵＲＬ情報およびポイント標識の表示に必要な情報が組み込まれるようにしたことを特徴とするＷｅｂページ検索システム。
【請求項９】
請求項１〜８のいずれかに記載のシステムにおいて、
ポイント付与処理部へのアクセス時に、当該アクセスを行っている利用者が入力したキーワードが引き渡されるようにし、ポイント付与処理部に、利用者に関する個人情報と引き渡されたキーワードとの相関関係を統計的に求める機能を付加したことを特徴とするＷｅｂページ検索システム。
【請求項１０】
請求項１〜９のいずれかに記載のシステムにおいて、
ポイント付与処理部へのアクセスがあったときに、Ｗｅｂブラウザ内のクッキーを確認することにより、アクセスしている利用者が、サービスポイントの付与を受けるための会員登録を済ませているか否かを認識し、会員登録を済ませている場合には、サービスポイント付与のためのＷｅｂページを提示し、会員登録を済ませていない場合には、会員登録のためのＷｅｂページを提示して会員登録を行わせた後に、サービスポイント付与のためのＷｅｂページを提示することを特徴とするＷｅｂページ検索システム。
【請求項１１】
請求項１〜１０のいずれかに記載のシステムにおいて、
検索結果作成部が、ポイント標識によって示されるポイント値を所定のルールに基づいてもしくはランダムに変動させる機能を有し、
ポイント付与処理部が、前記変動に応じたポイント値を付与する処理を行うことを特徴とするＷｅｂページ検索システム。
【請求項１２】
請求項１〜１１のいずれかに記載のシステムにおいて、
ポイント付与処理部が、同一の利用者から所定期間内に所定回数を超えるアクセスを受けた場合には、ポイント値を付与する処理の実行回数を前記所定回数以下に制限することを特徴とするＷｅｂページ検索システム。
【発明の詳細な説明】
【０００１】
【発明の属する技術分野】
本発明は、Ｗｅｂページ検索システムに関し、特に、Ｗｅｂブラウザの機能をもった端末装置からの利用者によるアクセスに応じて、インターネット上で所定の条件に合致するＷｅｂページの検索を行い、検索結果をＷｅｂブラウザの画面上に表示させる処理を行うとともに、検索利用者に対して所定のサービスポイントを付与する機能をもったＷｅｂページ検索システムに関する。
【０００２】
【従来の技術】
インターネット上で必要な情報を探す場合、Ｗｅｂページ検索システムが広く利用されている。通常、このようなＷｅｂページ検索システムは、特定の検索用サイトにＷｅｂブラウザでアクセスすることにより利用することができる。現在、広告収入を得る目的で多数の検索用サイトが開設されており、利用者はＷｅｂブラウザによって、好みの検索用サイトをアクセスすることにより、無料で検索サービスを利用することができる。
【０００３】
検索用サイトに構築されるＷｅｂページ検索システムは、インターネット上に分散しているＷｅｂページの情報を検索エンジンを使って自動的に収集するロボット型と、人手で情報収集を行うディレクトリー型とに大別されるが、いずれの場合も、収集した情報をデータベースとして整理格納し、所定のキーワードを用いて検索が可能になるような仕組みを用いている。検索サービスを利用する利用者が、所定のキーワードを含む検索条件を入力して検索指示を与えると、条件に合致するＷｅｂページが抽出され、一覧リストとして提示される。通常、この一覧リストには、抽出されたＷｅｂページのタイトルが表示され、所望のＷｅｂページのタイトルをクリックすることにより、当該Ｗｅｂページへのアクセスが可能になる。
【０００４】
たとえば、下記の特許文献１には、ロボット型のＷｅｂページ検索システムにおいて、自動収集した情報に基づいてデータベースを構築する技術が開示されている。また、下記の特許文献２には、利用者から与えられたキーワードに基づいて、効率的な検索を行うことが可能なＷｅｂページ検索システムが開示されている。更に、下記の特許文献３には、ＷｅｂページのＵＲＬが変更された場合にも柔軟に対処できるＷｅｂページ検索システムが開示されている。
【特許文献１】
特開２０００−２９３４２５号公報
【特許文献２】
特開２０００−２０７４１４号公報
【特許文献３】
特開２０００−１７２６１４号公報
【０００５】
【課題を解決するための手段】
Ｗｅｂページ検索システムを稼働して検索用サイトを運営する事業体の主たる事業収入は、検索用Ｗｅｂページ上の広告収入である。したがって、いかにして多数の利用者に利用してもらい、総アクセス回数を向上させるか、ということは至上命題である。現在、複数の検索用サイトが、それぞれアクセス回数の向上にしのぎを削っており、より利用者の要求に合致した検索結果を提供することができるように、検索アルゴリズムなどに工夫を凝らしている。
【０００６】
しかしながら、いずれの検索サイトにおいても、利用者が入力したキーワードに基づいて検索を実行し、検索結果を一覧リストとして提示する、という基本形態に変わりはなく、検索アルゴリズムの水準もほぼ同じレベルにまで向上してきており、他の検索サイトとの差別化を図るのは困難な状況になりつつある。
【０００７】
そこで本発明は、他の検索サイトとの差別化を図り、利用者のアクセス回数を向上させることが可能なＷｅｂページ検索システムを提供することを目的とする。
【０００８】
【課題を解決するための手段】
（１）    本発明の第１の態様は、Ｗｅｂブラウザの機能をもった端末装置からの利用者によるアクセスに応じて、所定の条件に合致するＷｅｂページの検索を行い、検索結果をＷｅｂブラウザの画面上に表示させる処理を行うＷｅｂページ検索システムにおいて、
Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
入力された検索条件により、Ｗｅｂページデータベースを検索し、条件に合致するＷｅｂページを抽出する検索実行部と、
検索実行部により抽出されたＷｅｂページの情報を一覧リストとしてＷｅｂブラウザに表示させるための検索結果情報を作成する検索結果作成部と、
作成された検索結果情報をＷｅｂブラウザへ送信する検索結果送信部と、
Ｗｅｂブラウザからのアクセスに応じて、アクセスを行った利用者を特定し、当該利用者に所定のサービスポイントを付与する処理を行うポイント付与処理部と、
を設け、
検索結果情報を受信したＷｅｂブラウザ上で、検索実行部によって抽出された個々のＷｅｂページの少なくともタイトルもしくはＵＲＬがリストとして表示されるとともに、所定のサービスポイントの付与が受けられる旨を示すポイント標識が表示され、かつ、タイトルもしくはＵＲＬをクリックすることにより当該タイトルもしくはＵＲＬに対応するＷｅｂページへのアクセスが実行され、ポイント標識をクリックすることによりポイント付与処理部へのアクセスが実行されるように、検索結果情報に、所定のＵＲＬ情報およびポイント標識の表示に必要な情報が組み込まれるようにしたものである。
【０００９】
（２）    本発明の第２の態様は、Ｗｅｂブラウザの機能をもった端末装置からの利用者によるアクセスに応じて、所定の条件に合致するＷｅｂページの検索を行い、検索結果をＷｅｂブラウザの画面上に表示させる処理を行うＷｅｂページ検索システムにおいて、
Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
入力された検索条件により、Ｗｅｂページデータベースを検索し、条件に合致するＷｅｂページを抽出する検索実行部と、
検索実行部により抽出されたＷｅｂページの情報を一覧リストとしてＷｅｂブラウザに表示させるための検索結果情報を作成する検索結果作成部と、
作成された検索結果情報をＷｅｂブラウザへ送信する検索結果送信部と、
Ｗｅｂブラウザから、特定のポイント値および特定のＵＲＬを指定するアクセスがあった場合に、アクセスを行った利用者を特定し、当該利用者に特定のポイント値に相当するサービスポイントを付与する処理を行った後、Ｗｅｂブラウザに特定のＵＲＬをアクセスする処理を実行させるポイント付与処理部と、
を設け、
検索結果情報を受信したＷｅｂブラウザ上で、検索実行部によって抽出された個々のＷｅｂページの少なくともタイトルもしくはＵＲＬがリストとして表示されるとともに、一部もしくは全部のタイトルもしくはＵＲＬの近傍に、それぞれ所定のポイント値をもったサービスポイントの付与が受けられる旨を示すポイント標識が表示され、かつ、タイトルもしくはＵＲＬをクリックすることにより当該タイトルもしくはＵＲＬに対応するＷｅｂページへのアクセスが実行され、ポイント標識をクリックすることにより、当該ポイント標識に示されたポイント値と、当該ポイント標識の近傍に表示されているタイトルもしくはＵＲＬに対応するＷｅｂページのＵＲＬとを、それぞれ特定のポイント値および特定のＵＲＬとして指定して、ポイント付与処理部へのアクセスが実行されるように、検索結果情報に、所定のＵＲＬ情報およびポイント標識の表示に必要な情報が組み込まれるようにしたものである。
【００１０】
（３）    本発明の第３の態様は、上述の第２の態様に係るＷｅｂページ検索システムにおいて、
個々のＷｅｂページについて所定のポイント値を対応させたポイント値対応テーブルを更に設け、
検索結果作成部が、ポイント値対応テーブルを参照することにより、抽出した各Ｗｅｂページについて、それぞれ対応するポイント値を決定し、個々のポイント標識には、その近傍にタイトルもしくはＵＲＬが表示されているＷｅｂページに対応するポイント値が示されるように、検索結果情報を作成するようにしたものである。
【００１１】
（４）    本発明の第４の態様は、Ｗｅｂブラウザの機能をもった端末装置からの利用者によるアクセスに応じて、所定の条件に合致するＷｅｂページの検索を行い、検索結果をＷｅｂブラウザの画面上に表示させる処理を行うＷｅｂページ検索システムにおいて、
Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
入力された検索条件により、Ｗｅｂページデータベースを検索し、条件に合致するＷｅｂページを抽出する検索実行部と、
検索実行部により抽出されたＷｅｂページの情報を一覧リストとしてＷｅｂブラウザに表示させるための検索結果情報を作成する検索結果作成部と、
作成された検索結果情報をＷｅｂブラウザへ送信する検索結果送信部と、
Ｗｅｂブラウザから、特定のＵＲＬを指定するアクセスがあった場合に、アクセスを行った利用者を特定し、当該利用者に特定のＵＲＬに応じた特定のポイント値に相当するサービスポイントを付与する処理を行った後、Ｗｅｂブラウザに特定のＵＲＬをアクセスする処理を実行させるポイント付与処理部と、
を設け、
検索結果情報を受信したＷｅｂブラウザ上で、検索実行部によって抽出された個々のＷｅｂページの少なくともタイトルもしくはＵＲＬがリストとして表示されるとともに、一部もしくは全部のタイトルもしくはＵＲＬの近傍に、それぞれ所定のポイント値をもったサービスポイントの付与が受けられる旨を示すポイント標識が表示され、かつ、タイトルもしくはＵＲＬをクリックすることにより当該タイトルもしくはＵＲＬに対応するＷｅｂページへのアクセスが実行され、ポイント標識をクリックすることにより、当該ポイント標識の近傍に表示されているタイトルもしくはＵＲＬに対応するＷｅｂページのＵＲＬを特定のＵＲＬとして指定して、ポイント付与処理部へのアクセスが実行されるように、検索結果情報に、所定のＵＲＬ情報およびポイント標識の表示に必要な情報が組み込まれるようにしたものである。
【００１２】
（５）    本発明の第５の態様は、上述の第４の態様に係るＷｅｂページ検索システムにおいて、
個々のＷｅｂページについて所定のポイント値を対応させたポイント値対応テーブルを更に設け、
検索結果作成部が、ポイント値対応テーブルを参照することにより、抽出した各Ｗｅｂページについて、それぞれ対応するポイント値を決定し、個々のポイント標識には、その近傍にタイトルもしくはＵＲＬが表示されているＷｅｂページに対応するポイント値が示されるように、検索結果情報を作成し、
ポイント付与処理部が、ポイント値対応テーブルを参照することにより、アクセス時に指定された特定のＵＲＬに応じたポイント値を決定するようにしたものである。
【００１３】
（６）    本発明の第６の態様は、上述の第３または第５の態様に係るＷｅｂページ検索システムにおいて、
ポイント値対応テーブルには、一部のＷｅｂページについては、標準より大きなポイント値を対応づける情報を用意し、別な一部のＷｅｂページについては、標準より小さなポイント値を対応づける情報を用意しておき、
検索結果作成部もしくはポイント付与処理部が、ポイント値対応テーブルに情報が用意されているＷｅｂページについては、当該情報に基づいてポイント値を対応づけ、ポイント値対応テーブルに情報が用意されていないＷｅｂページについては、標準となるポイント値を対応づけるようにしたものである。
【００１４】
（７）    本発明の第７の態様は、上述の第３、第５、または第６の態様に係るＷｅｂページ検索システムにおいて、
ポイント値０が対応づけられたＷｅｂページのタイトルもしくはＵＲＬ近傍には、ポイント標識が表示されないようにしたものである。
【００１５】
（８）    本発明の第８の態様は、Ｗｅｂブラウザの機能をもった端末装置からの利用者によるアクセスに応じて、所定の条件に合致するＷｅｂページの検索を行い、検索結果をＷｅｂブラウザの画面上に表示させる処理を行うＷｅｂページ検索システムにおいて、
Ｗｅｂブラウザに対して所定の検索画面を表示させながら、所定のキーワードを含む検索条件を入力する検索条件入力部と、
多数のＷｅｂページについて、少なくともタイトルおよびＵＲＬ、ならびに検索に必要な情報を格納したＷｅｂページデータベースと、
入力した検索条件により、Ｗｅｂページデータベースを検索し、条件に合致するＷｅｂページを抽出する検索実行部と、
検索実行部により抽出されたＷｅｂページの情報を一覧リストとしてＷｅｂブラウザに表示させるための検索結果情報を作成する検索結果作成部と、
作成された検索結果情報をＷｅｂブラウザへ送信する検索結果送信部と、
Ｗｅｂブラウザからのアクセスに応じて、アクセスを行った利用者を特定し、当該利用者に所定のサービスポイントを付与する処理を行うポイント付与処理部と、
ポイント付与処理部へのリンクが定義されている特定のＷｅｂページについて、特定のポイント値を対応させたポイント値対応テーブルと、
を設け、
Ｗｅｂブラウザから、特定のＷｅｂページからのリンクを経てポイント付与処理部にアクセスがあった場合に、リンク元となるＷｅｂページに対応する特定のポイント値に相当するサービスポイントを付与する処理が行われるようにし、
検索結果情報を受信したＷｅｂブラウザ上で、検索実行部によって抽出された個々のＷｅｂページの少なくともタイトルもしくはＵＲＬがリストとして表示されるとともに、ポイント値対応テーブルに情報が用意されているＷｅｂページのタイトルもしくはＵＲＬの近傍に、当該情報に基づいて対応づけられたポイント値を示すポイント標識が表示され、かつ、タイトル、ＵＲＬもしくはポイント標識をクリックすることによりこれに対応するＷｅｂページへのアクセスが実行されるように、検索結果情報に、所定のＵＲＬ情報およびポイント標識の表示に必要な情報が組み込まれるようにしたものである。
【００１６】
（９）    本発明の第９の態様は、上述の第１〜第８の態様に係るＷｅｂページ検索システムにおいて、
ポイント付与処理部へのアクセス時に、当該アクセスを行っている利用者が入力したキーワードが引き渡されるようにし、ポイント付与処理部に、利用者に関する個人情報と引き渡されたキーワードとの相関関係を統計的に求める機能を付加したものである。
【００１７】
（１０）  本発明の第１０の態様は、上述の第１〜第９の態様に係るＷｅｂページ検索システムにおいて、
ポイント付与処理部へのアクセスがあったときに、Ｗｅｂブラウザ内のクッキーを確認することにより、アクセスしている利用者が、サービスポイントの付与を受けるための会員登録を済ませているか否かを認識し、会員登録を済ませている場合には、サービスポイント付与のためのＷｅｂページを提示し、会員登録を済ませていない場合には、会員登録のためのＷｅｂページを提示して会員登録を行わせた後に、サービスポイント付与のためのＷｅｂページを提示するようにしたものである。
【００１８】
（１１）  本発明の第１１の態様は、上述の第１〜第１０の態様に係るＷｅｂページ検索システムにおいて、
検索結果作成部が、ポイント標識によって示されるポイント値を所定のルールに基づいてもしくはランダムに変動させる機能を有し、
ポイント付与処理部が、変動に応じたポイント値を付与する処理を行うようにしたものである。
【００１９】
（１２）  本発明の第１２の態様は、上述の第１〜第１１の態様に係るＷｅｂページ検索システムにおいて、
ポイント付与処理部が、同一の利用者から所定期間内に所定回数を超えるアクセスを受けた場合には、ポイント値を付与する処理の実行回数を所定回数以下に制限するようにしたものである。
【００２０】
【発明の実施の形態】
以下、本発明を図示する実施形態に基づいて説明する。
【００２１】
＜＜＜  §１．  第１の実施形態  ＞＞＞
図１は、本発明の第１の実施形態に係るＷｅｂページ検索システムの基本構成を示すブロック図である。図において、一点鎖線で囲った部分が、本発明に係るＷｅｂページ検索システムを構成する部分である。このＷｅｂページ検索システムは、Ｗｅｂブラウザの機能をもった端末装置１０（パソコン、携帯電話、ＰＤＡなど）からの利用者によるアクセスに応じて、所定の条件に合致するＷｅｂページの検索を行い、検索結果をこのＷｅｂブラウザの画面上に表示させる処理を行うことができる。既に述べたとおり、このような処理機能をもったＷｅｂページ検索システムにより、Ｗｅｂページの検索サービスを提供する検索用サイトは、既に多数開設されている。
【００２２】
図示のとおり、このＷｅｂページ検索システムは、検索サービス提供部１００と、ポイント付与処理部２００とによって構成されている。検索サービス提供部１００は、Ｗｅｂページ検索システムとしての本来の機能を提供するための構成要素であり、検索用サイトの本体というべき部分になる。一方、ポイント付与処理部２００は、この検索用サイトに付加価値を与えるための機能を果たす部分であり、当該検索用サイトの利用者に対して、所定のサービスポイントを付与することにより、当該検索用サイトの利用を促進させる役割を果たす。
【００２３】
検索サービス提供部１００は、Ｗｅｂサーバ１１０と、検索実行部１２０と、検索結果作成部１３０と、Ｗｅｂぺージデータベース１４０と、によって構成されている。ここで、Ｗｅｂサーバ１１０は、端末装置１０のＷｅｂブラウザ（以下、単に、Ｗｅｂブラウザ１０という）からのアクセスを受け、所定のＷｅｂページ表示用データ（たとえば、ＨＴＭＬファイルやその付属ファイル）を送信することにより、Ｗｅｂブラウザ１０の画面上に所定のＷｅｂページを表示させる働きをする。ここでは説明の便宜上、図示のとおり、Ｗｅｂサーバ１１０を、検索条件入力部１１１と検索結果送信部１１２との２つの構成要素として捉えることにする。
【００２４】
検索条件入力部１１１は、Ｗｅｂブラウザ１０に対して所定の検索画面を表示させながら、所定のキーワードを含む検索条件を入力する処理を行う構成要素である。利用者が、この検索用サイトを利用するため、Ｗｅｂブラウザ１０に所定のアドレス（ＵＲＬ）を入力すると、Ｗｅｂサーバ１１０の検索条件入力部１１１へのアクセスが行われることになる。このとき、検索条件入力部１１１からＷｅｂブラウザ１０に対して、所定のＷｅｂページ表示用データが送信され、Ｗｅｂブラウザ１０の画面には、たとえば、図２に示すような検索用Ｗｅｂページが表示されることになる。ここで、上部の領域１１は、Ｗｅｂブラウザ１０用の操作ボタンなどが配置されたブラウザ操作領域である。このブラウザ操作領域１１のＵＲＬ欄に表示されている「ｈｔｔｐ：／／ｗｗｗ．○○○．ｎｅ．ｊｐ」なるアドレスは、当該検索用サイトのアドレス（Ｗｅｂサーバ１１０にアクセスするためのアドレス）である。これに対して、下部の領域１２は、閲覧中のＷｅｂページを表示するためのＷｅｂページ表示領域であり、Ｗｅｂサーバから送信されてきたデータに基づいて、所定のＷｅｂページの内容が表示される。図示の例では、「ニコニコ検索サイト」なる当該検索用サイトの名称とともに、キーワードの入力欄が表示されている。
【００２５】
検索条件入力部１１１は、Ｗｅｂブラウザ１０の画面上に、図２のＷｅｂページ表示領域１２に示すようなＷｅｂページを表示し、所定のキーワードを含む検索条件を入力する処理を行う。図示の例では、「ＡＤＳＬ」なるキーワードが入力された例が示されている。利用者が、この入力欄の右に設けられた検索ボタンをクリックすれば、キーワードの入力が完了する。この例では、キーワードだけを検索条件として入力する単純な例を示すが、必要に応じて、キーワードに対する前方一致、後方一致など、好みの検索条件を併せて入力するようにしてもかまわない。
【００２６】
検索結果送信部１１２は、検索条件入力部１１１に入力されたキーワードを含む検索条件に基づく検索結果を、Ｗｅｂブラウザ１０に対して送信する機能を有する。図２に示すように、「ＡＤＳＬ」なるキーワードが入力された場合、Ｗｅｂブラウザ１０の画面には、たとえば、図３に示すような検索結果が表示されることになる。図示のとおり、検索結果は、Ｗｅｂページ表示領域１２内に一覧リストとして表示されることになる。この例では、５件のＷｅｂページが検索によりヒットした例が示されている。ここでは、検索結果として、個々のＷｅｂページのタイトルＴ（Ａ）〜Ｔ（Ｅ）（太字にアンダーラインで示す）と概要説明文Ｓ（Ａ）〜Ｓ（Ｅ）とを表示した例を示すが、少なくともタイトルＴ（Ａ）〜Ｔ（Ｅ）が表示されていれば、概要説明文Ｓ（Ａ）〜Ｓ（Ｅ）は表示しなくてもかまわない。
【００２７】
この一覧リストにおいて、各ＷｅｂページのタイトルＴ（Ａ）〜Ｔ（Ｅ）の部分には、それぞれ各Ｗｅｂページへのリンクが張られている。したがって、利用者は、この一覧リストの中に、閲覧希望のＷｅｂページがあれば、当該Ｗｅｂページのタイトル部分をクリックすることにより、当該Ｗｅｂページを直ちに閲覧することができる。たとえば、図示のタイトルＴ（Ａ）の部分をクリックすれば、「ＡＡＡ通信のＡＤＳＬ」なるタイトルのＷｅｂページのＵＲＬへのアクセスが行われ、Ｗｅｂページ表示領域１２には、当該Ｗｅｂページが表示されることになる。なお、図１に示すＷｅｂページＡ〜Ｅは、それぞれ図３に示すタイトルＴ（Ａ）〜Ｔ（Ｅ）をクリックすることにより表示されるＷｅｂページを示しており、これらの実体は、所定のＷｅｂサーバに格納されているデータである。
【００２８】
Ｗｅｂブラウザ１０から図２に示すようなキーワードの入力を受けたときに、このＷｅｂブラウザ１０に図３に示すような検索結果の一覧リストを表示させるためには、検索実行部１２０において検索を行い、検索結果作成部１３０において一覧リストを表示させるための検索結果情報を作成する必要がある。そこで、検索実行部１２０による検索対象となるデータを、予め、Ｗｅｂぺージデータベース１４０に蓄積しておくようにする。このＷｅｂぺージデータベース１４０には、インターネット上に存在する膨大な数のＷｅｂページについて、少なくともタイトルおよびＵＲＬ、ならびに検索に必要な情報が格納されている。インターネット上に分散しているＷｅｂページの情報を収集する方法には、一般に、検索エンジンを使って自動的に収集するロボット型と、人手で情報収集を行うディレクトリー型とが知られているが、本発明はいずれのタイプの検索用サイトにも適用可能であり、Ｗｅｂぺージデータベース１４０に蓄積するＷｅｂページの情報は、どのような方法で収集したものであってもかまわない。
【００２９】
ここに示す例では、Ｗｅｂぺージデータベース１４０には、個々のＷｅｂページについて、タイトルＴ、ＵＲＬ、概要説明文Ｓ、検索キーが登録されている。図４は、Ｗｅｂぺージデータベース１４０に登録されているデータの具体例を示す図であり、図３に検索結果として示されている５つのＷｅｂページに関するデータが具体例として示されている。ここで、タイトルＴは検索結果の一覧リストを提示する上で最低限必要な情報であり、ＵＲＬは一覧リスト上で当該Ｗｅｂページへのリンクを張るために必要な情報である。また、検索キーは、所定のキーワードに基づく検索に必要な情報である。図示の例の場合、この５つのＷｅｂページは、いずれも「ＡＤＳＬ」なる文言を検索キーとして有していたため、「ＡＤＳＬ」なるキーワードによる検索条件に合致したことになる。概要説明文Ｓは、各Ｗｅｂページの内容を要約した文であり、本発明を実施する上で必須のものではないが、実用上は用意しておいた方が好ましい。
【００３０】
図１に示す検索実行部１２０は、検索条件入力部１１１に入力されたキーワードを含む所定の検索条件により、Ｗｅｂぺージデータベース１４０を検索し、条件に合致するＷｅｂページを抽出する処理を実行する。上述の例の場合、「ＡＤＳＬ」なるキーワードを検索キーに含むもの、という検索条件に基づく検索が行われた結果、図３の一覧リストに示す５つのＷｅｂページが抽出されたことになる。
【００３１】
検索結果作成部１３０は、検索実行部１２０により抽出されたＷｅｂページの情報を一覧リストとして、Ｗｅｂブラウザに表示させるための検索結果情報を作成する機能を有し、ここで作成された検索結果情報が、検索結果送信部１１２によって、Ｗｅｂブラウザ１０に送信されることになる。したがって、検索結果作成部１３０で作成される検索結果情報とは、結局、Ｗｅｂブラウザ１０に図３に示すようなＷｅｂページを表示させるために必要なデータ（通常は、ＨＴＭＬファイルとその付属ファイル）ということになる。たとえば、図３のＷｅｂページ表示領域１２に示されているようなＷｅｂページを表示するためには、「ニコニコ検索サイト」なるロゴ、キーワード入力欄、検索ボタン、検索結果件数、５件のＷｅｂページについてのタイトルＴ（Ａ）〜Ｔ（Ｅ）と概要説明文Ｓ（Ａ）〜Ｓ（Ｅ）、といった情報を表示するためのデータに加えて、各Ｗｅｂページへのリンクを実現するためのＵＲＬ（Ａ）〜ＵＲＬ（Ｅ）により、検索結果情報が構成されることになる。検索結果作成部１３０は、検索実行部１２０が抽出したデータに基づいて、このような検索結果情報を作成する処理を実行する。
【００３２】
以上、図１に示す検索サービス提供部１００の各構成要素と、それらの基本的な機能を説明したが、これらの各構成要素やその基本的な機能は、本発明に係るＷｅｂページ検索システムに特有のものではなく、従来の一般的な検索用サイトで利用されているＷｅｂページ検索システムにおいても既に利用されているものである。したがって、図２や図３に示すＷｅｂページの構成や、図４に示すデータベースの構造自体は、既存のＷｅｂページ検索システムで用いられている公知のものである。
【００３３】
本発明の特徴は、この検索サービス提供部１００とともに、ポイント付与処理部２００を設けるようにし、両者を連携させるための新規な機能を付加した点にある。ポイント付与処理部２００の基本機能は、Ｗｅｂブラウザ１０からのアクセスに応じて、アクセスを行った利用者を特定し、当該利用者に所定のサービスポイントを付与する処理を行うことにある。図１の例の場合、ポイント付与処理部２００は、Ｗｅｂサーバ２１０と、ポイント処理実行部２２０と、利用者データベース２３０と、によって構成されている。
【００３４】
まず、Ｗｅｂサーバ２１０は、Ｗｅｂブラウザ１０からのアクセスに対して、所定のＷｅｂページを提示して応答する窓口としての機能を果たす構成要素である。すなわち、利用者が初めてアクセスしてきた場合には、会員登録のためのＷｅｂページを提示して会員登録を行わせ、２回目以降にアクセスしてきた場合には、サービスポイント付与のためのＷｅｂページを提示する。
【００３５】
Ｗｅｂブラウザ１０からアクセスしてきた利用者が、サービスポイントの付与を受けるための会員登録を済ませているか否かを認識するためには、クッキーを用いることができる。すなわち、初めてアクセスしてきた利用者が、会員登録のためのＷｅｂページ上で所定事項を入力して登録を済ませたら、固有のデータからなるクッキーをＷｅｂブラウザ１０へ送信して格納しておくようにすれば、Ｗｅｂブラウザ１０内のクッキーを確認することにより、会員登録が済んでいるか否かを判定することが可能になる。そこで、アクセスしてきた利用者が、既に会員登録を済ませていると判定される場合には、サービスポイント付与のためのＷｅｂページを提示し、会員登録を済ませていないと判定される場合には、会員登録のためのＷｅｂページを提示して会員登録を行わせた後に、サービスポイント付与のためのＷｅｂページを提示するようにすればよい。
【００３６】
Ｗｅｂサーバ２１０の役割は、このような処理のために用いるＷｅｂページをＷｅｂブラウザ１０に提供することにあり、実際の会員登録のための処理や、サービスポイント付与の処理は、ポイント処理実行部２２０において行われる。すなわち、会員登録のための処理は、ポイント処理実行部２２０が、Ｗｅｂサーバ２１０を介して利用者の個人情報（たとえば、住所、氏名、年齢、性別、職業、趣味など）を入力し、これを所定の利用者コードとともに利用者データベース２３０に登録し、当該利用者コードをＷｅｂブラウザ１０側へ返送することによって行われる。なお、新規会員登録を行った利用者についての累積ポイントは、たとえば、０点などの初期値に設定される。
【００３７】
一方、サービスポイント付与の処理は、ポイント処理実行部２２０が、Ｗｅｂサーバ２１０を介して、アクセスしてきた利用者を特定し（たとえば、会員登録時に利用者コードをクッキー内に埋め込んで返送しておけば、このクッキーを確認することにより、利用者の特定ができる）、利用者データベース２３０内の当該利用者についての累積ポイントを更新する（新たに付与するサービスポイントを加算する）ことによって行われる。
【００３８】
なお、ここでは詳しい説明は省略するが、個々の利用者には、それぞれ累積ポイントのポイント値に応じて、景品との交換など、何らかのサービスが提供される。ポイント処理実行部２２０は、このようなサービスを提供するための種々の処理を実行する機能を有している。たとえば、Ｗｅｂサーバ２１０を介して、景品交換の申し込み用Ｗｅｂページを提示し、利用者からの景品交換の申し込みに基づいて、利用者データベース２３０内の累積ポイント値を減らし、景品発送の手続きを行うような処理が可能である。
【００３９】
さて、この第１の実施形態に係るＷｅｂページ検索システムでは、検索サービス提供部１００とポイント付与処理部２００とを連携させるために、次のような工夫を施している。すなわち、従来の一般的なシステムでは、検索結果が図３に示すようなＷｅｂページとして表示されていたのに対し、本発明に係るシステムでは、検索結果が図５に示すようなＷｅｂページとして表示される。図５に示すＷｅｂページの内容は、図３に示すＷｅｂページの内容に、更に、ポイント標識Ｐ（Ａ）〜Ｐ（Ｅ）を付加したものとなっている。これらポイント標識Ｐ（Ａ）〜Ｐ（Ｅ）は、所定のサービスポイント（図示の例の場合は、いずれも１点）の付与が受けられる旨を示す標識であり、実際、利用者が、いずれかのポイント標識Ｐをクリックすると、後述するように、１点のサービスポイントの付与が受けられることになる。
【００４０】
図５に示すＷｅｂページには、２通りのリンクが張られている。第１のリンクは、検索結果として表示されている各Ｗｅｂページのタイトルから当該Ｗｅｂページへのリンクである。たとえば、図５に示すタイトルＴ（Ａ）の部分、すなわち、「ＡＡＡ通信のＡＤＳＬ」なる文字列の部分をクリックすると、図６に示すように、Ｗｅｂページ表示領域１２には、「ＡＡＡ通信のＡＤＳＬ」なるＷｅｂページＡが表示されるようになる。ここで、ブラウザ操作領域１１のＵＲＬの欄に記載されている「ｈｔｔｐ：／／ｗｗｗ．ａａａ．ｎｅ．ｊｐ」なるアドレスは、このＷｅｂページＡのＵＲＬ（図４に示されているＵＲＬ（Ａ）と同じもの）である。
【００４１】
第２のリンクは、各ポイント標識からＷｅｂサーバ２１０が提供するＷｅｂページへのリンクである。たとえば、図５に示すポイント標識Ｐ（Ａ）の部分、すなわち、「Ｘｐｏｉｎｔ  １点」なる標識部分をクリックすると、図７に示すように、Ｗｅｂページ表示領域１２には、「Ｘｐｏｉｎｔ」なるサービスポイント付与用のＷｅｂページが表示されるようになる。ここで、ブラウザ操作領域１１のＵＲＬの欄に記載されている「ｈｔｔｐ：／／ｗｗｗ．ｘｘｘ．ｃｏ．ｊｐ」なるアドレスは、このＷｅｂページのＵＲＬ（Ｗｅｂサーバ２１０のアドレスＵＲＬ（Ｘ））である。なお、図５に示す例では、合計５つのポイント標識Ｐ（Ａ）〜Ｐ（Ｅ）が表示されているが、いずれのポイント標識をクリックした場合も、図７に示すＷｅｂページへの移動が行われ、リンク先はいずれも同一である。
【００４２】
このように、図５に示す検索結果を示すＷｅｂページには、各Ｗｅｂページのタイトルから当該Ｗｅｂページへ移動する第１のリンクと、各ポイント標識からサービスポイント付与用のＷｅｂページへ移動する第２のリンクと、の２通りのリンクが張られていることになるが、このようなリンク情報をもった図５に示すようなＷｅｂページを表示させるためには、検索結果作成部１３０において、このようなＷｅｂページを表示させるための検索結果情報が作成されるようにしておけばよい。別言すれば、検索結果作成部１３０において作成される検索結果情報は、Ｗｅｂブラウザ１０上で、検索実行部１２０によって抽出された個々のＷｅｂページのタイトルＴ（Ａ）〜Ｔ（Ｅ）および概要説明文Ｓ（Ａ）〜Ｓ（Ｅ）がリストとして表示されるとともに、所定のサービスポイントの付与が受けられる旨を示すポイント標識Ｐ（Ａ）〜Ｐ（Ｅ）が表示され、かつ、タイトルＴ（Ａ）〜Ｔ（Ｅ）をクリックすることにより当該タイトルに対応するＷｅｂページＡ〜Ｅへのアクセスが実行され、ポイント標識Ｐ（Ａ）〜Ｐ（Ｅ）をクリックすることによりポイント付与処理部２００へのアクセスが実行されるように、所定のＵＲＬ情報およびポイント標識の表示に必要な情報が組み込まれたものになる。
【００４３】
図７に示すＷｅｂページは、サービスポイント付与用のＷｅｂページであり、このＷｅｂページが表示された時点で、この利用者には、新たに１点（ポイント標識Ｐ（Ａ）に示されたポイント点）が付与されることになる。図７に示す例では、「ようこそ特許太郎さん」のように、利用者名表示欄Ｎに、この利用者の氏名が表示されているが、このように利用者名が表示できるのは、既に述べたとおり、アクセスしてきたＷｅｂブラウザ１０内のクッキーを認識することにより、利用者の特定を行っているためである。この時点で、利用者データベース２３０内の「特許太郎」なる利用者の累積ポイントを１点だけ増加させる更新が行われ、現在の累積ポイントは３２点になる。
【００４４】
なお、図５に示すポイント標識Ｐ（Ａ）をクリックした利用者が、Ｗｅｂサーバ２１０が提供するＷｅｂページへ初めて訪れた場合には、図７に示すサービスポイント付与用のＷｅｂページを提示する前に、会員登録のためのＷｅｂページを提示して会員登録を行わせた後に、図７に示すサービスポイント付与のためのＷｅｂページへと誘導する点は、前述したとおりである。
【００４５】
こうして、図７に示すＷｅｂページへ移動して、所定のサービスポイント取得した利用者は、ブラウザ操作領域１１の「戻りボタン」をクリックして、図５に示す検索結果表示画面へと戻り、更に、所望のタイトルＴ（Ａ）〜Ｔ（Ｅ）をクリックして、たとえば、図６に示すような所望のＷｅｂページへと移動することができる。あるいは逆に、図６に示すような所望のＷｅｂページを閲覧した後に、ブラウザ操作領域１１の「戻りボタン」をクリックして、図５に示す検索結果表示画面へと戻り、ポイント標識Ｐ（Ａ）〜Ｐ（Ｅ）のいずれかをクリックして、図７に示すＷｅｂページへと進み、サービスポイントを取得することも可能である。
【００４６】
なお、図５に示す検索結果表示画面から、ポイント標識Ｐ（Ａ）〜Ｐ（Ｅ）のいずれかをクリックして、図７に示すＷｅｂページへと進むたびに、毎回、所定のサービスポイントを取得することができるようにしておくと、同じ閲覧操作を繰り返し実行することにより、短時間に膨大なサービスポイントを取得する利用者が現れる可能性があり、実用上は好ましくない。したがって、実際の運用では、ポイント付与処理部２００は、同一の利用者から所定期間内に所定回数を超えるアクセスを受けた場合には、ポイント値を付与する処理の実行回数を所定回数以下に制限するような処理を行うようにしておくのが好ましい。たとえば、所定期間を１日とし、所定回数を１回とすれば、同一の利用者から１日に２回以上のアクセスを受けた場合には、２回目以降のアクセスによるポイント付与は行われないことになり、各利用者へのポイント付与の回数を１日１回以下に制限することができる。このような制限処理は、たとえば、利用者データベース２３０内に、個々の利用者ごとの最後のアクセス時間を記録しておく方法で行うことができる。
【００４７】
このように、第１の実施形態に係るＷｅｂページ検索システムでは、利用者が検索作業を実行すると、図５に示すように、ポイント標識Ｐ（Ａ）〜Ｐ（Ｅ）を有する検索結果表示画面が提示され、利用者がこのポイント標識Ｐ（Ａ）〜Ｐ（Ｅ）のいずれかをクリックすると、図７に示すＷｅｂページへと移行して所定のサービスポイントを取得することができるため、利用者に対して付加価値をもった検索サービスを提供することができるようになる。したがって、このＷｅｂページ検索システムを利用した検索用サイトは、他の検索用サイトとの差別化を図ることができ、利用者のアクセス回数を向上させることが可能になる。一般に、検索用サイトの広告収入は、利用者の総アクセス回数に応じて定まるため、利用者のアクセス回数を向上させることができれば、それだけ有利なサイト運営が可能になる。
【００４８】
なお、ポイント標識を、図２に示す検索条件入力画面上に表示せずに、図５に示す検索結果表示画面上に表示するようにしたのは、利用者がこの検索用サイトに訪問し、実際に何らかの検索作業を行うことにより、はじめてサービスポイントを取得できるようにするためである。一般に、検索用サイトのアクセス回数は、利用者が検索用サイトの検索条件入力画面を閲覧した時点でカウントされるが、実際に何らかの検索作業を行って、何らかの検索結果を得た段階で更にカウントアップされるようになっていることが多い。したがって、アクセス回数のカウント値を伸ばすためには、図５に示す検索結果表示画面まで到達した段階で、サービスポイントの付与を行う方が効果的であり、本発明では、図５に示す検索結果表示画面上にポイント標識を表示するようにしている。
【００４９】
また、ここに示す第１の実施形態の場合、個々のポイント標識Ｐ（Ａ）〜Ｐ（Ｅ）と、個々のタイトルＴ（Ａ）〜Ｔ（Ｅ）に対応する各Ｗｅｂページとは、直接的には関連しないので、個々のポイント標識Ｐ（Ａ）〜Ｐ（Ｅ）を、個々のタイトルＴ（Ａ）〜Ｔ（Ｅ）の近傍にそれぞれ配置する必要はなく、たとえば、代表ポイント標識を、Ｗｅｂページ表示領域１２内のいずれかの箇所に１つだけ配置するようにしてもかまわない。ただ、実用上は、「Ｘｐｏｉｎｔ」なるポイントサービスの存在を広く宣伝する効果を期待する上で、図５に示す例のように、個々のタイトルＴ（Ａ）〜Ｔ（Ｅ）のそれぞれの近傍に、個々のポイント標識Ｐ（Ａ）〜Ｐ（Ｅ）を配置し、知名度を高めるようにするのが好ましい。
【００５０】
＜＜＜  §２．  第２の実施形態  ＞＞＞
続いて、本発明の第２の実施形態を説明する。上述の第１の実施形態では、たとえば、図５に示すように、タイトルＴ（Ａ）〜Ｔ（Ｅ）の近傍にそれぞれポイント標識Ｐ（Ａ）〜Ｐ（Ｅ）を配置したとしても、個々のタイトルと個々のポイント標識との間には、直接的な関係は定義されていない。たとえば、上述の説明では、図５において、タイトルＴ（Ａ）をクリックすると、図６に示すように、リンクが張られているＵＲＬ（Ａ）のＷｅｂページへと移行し、ポイント標識Ｐ（Ａ）をクリックすると、図７に示すように、リンクが張られているＵＲＬ（Ｘ）のＷｅｂページへと移行することになるが、実は、ポイント標識Ｐ（Ｂ）をクリックしても、図７に示すＷｅｂページへの移行が行われる。すなわち、ポイント標識Ｐ（Ａ）〜Ｐ（Ｅ）は、表示位置が異なるものの、その機能に差は全くない。したがって、タイトルＴ（Ａ）をクリックして図６に示すＷｅｂページを閲覧した利用者が、再び図５のＷｅｂページへ戻り、今度はポイント標識Ｐ（Ｂ）をクリックして図７に示すＷｅｂページへ移行してサービスポイントを取得する、というケースもあり得ることになる。
【００５１】
要するに、第１の実施形態では、図５に示されているタイトルＴ（Ａ）〜Ｔ（Ｅ）とポイント標識Ｐ（Ａ）〜Ｐ（Ｅ）とは、配置の点では対応しているものの、機能の点では１対１の対応関係にはなっていない。もちろん、利用者に当該検索サイトの利用を促進させ、「Ｘｐｏｉｎｔ」なるポイントサービスの存在を広く宣伝するという意味では、上述した第１の実施形態でも十分に意義のあるものであるが、特定の業者からサービスポイントに見合った対価を徴収する、というビジネスを行うことまでも考えた場合、タイトルＴ（Ａ）〜Ｔ（Ｅ）とポイント標識Ｐ（Ａ）〜Ｐ（Ｅ）との間に１対１の対応関係が定義されるような運用を行った方が好ましい。
【００５２】
たとえば、図５において、ポイント標識Ｐ（Ａ）は、タイトルＴ（Ａ）のみに対応した標識であり、このポイント標識Ｐ（Ａ）に示されたポイントを得るためには、タイトルＴ（Ａ）に対応するＷｅｂページの閲覧を前提とする、というような運用を考えてみる。もちろん、この場合、ポイント標識Ｐ（Ｂ）は、タイトルＴ（Ｂ）のみに対応した標識であり、このポイント標識Ｐ（Ｂ）に示されたポイントを得るためには、タイトルＴ（Ｂ）に対応するＷｅｂページの閲覧を前提とすることになり、ポイント標識Ｐ（Ｃ）〜Ｐ（Ｅ）についても同様の前提がおかれる。そうすると、各ポイント標識によって示されるポイント値に差をつけることに意味が出てくる。
【００５３】
図５に示す例では、すべてのポイント標識Ｐ（Ａ）〜Ｐ（Ｅ）は、いずれも１点のポイント値が付与されることを示しているが、たとえば、ポイント標識Ｐ（Ａ）だけを「Ｘｐｏｉｎｔ  １０点」として、１０点のポイント値が付与されることを示す標識に変えたとしよう。そうすると、図５に示すような検索結果を見た利用者は、「ＡＡＡ通信のＡＤＳＬ」なるタイトルＴ（Ａ）についてだけ、１０点という高いポイントが付加されることを認識することができる。ここで、各ポイント標識に示されたポイント値が、それぞれ１対１に対応づけられたＷｅｂページを閲覧することによって付与される、という運用がなされていれば、利用者を、より高いポイント値が示されたＷｅｂページの閲覧に誘導することが可能になるであろう。
【００５４】
ここで述べる第２の実施形態は、このような考え方に基づくものである。図８は、この第２の実施形態に係るＷｅｂページ検索システムの基本構成を示すブロック図であり、一点鎖線で囲った部分が、この第２の実施形態に係るＷｅｂページ検索システムを構成する部分である。この第２の実施形態に係るＷｅｂページ検索システム（図８）と、前述した第１の実施形態に係るＷｅｂページ検索システム（図１）との相違は、次の２点である。
【００５５】
第１の相違点は、図８に示すシステムには、ポイント値対応テーブル１５０なる構成要素が付加されている点である。このポイント値対応テーブル１５０は、個々のＷｅｂページについて所定のポイント値を対応させたテーブルであり、たとえば、図９に示すような内容のテーブルになる。この例では、特定のＷｅｂページのＵＲＬにそれぞれ特定のポイント値が対応づけられており、たとえば、ＵＲＬ（Ａ）なるアドレスをもつＷｅｂページＡには１０点、ＵＲＬ（Ｄ）なるアドレスをもつＷｅｂページＤには５点なる特定のポイント値が定められている。
【００５６】
なお、理論的には、インターネット上で公開されているすべてのＷｅｂページについて、それぞれ所定のポイント値を定義し、このポイント値対応テーブル１５０にそれぞれを個別に登録しておくことも可能である。しかしながら、現実的には、インターネット上で公開されているＷｅｂページは膨大な数であり、かつ、時間とともに変遷してゆくものであるから、すべてのＷｅｂページについてのポイント値を個別登録しておくことは、実用上困難である。そこで、本実施形態では、標準となるポイント値を予め設定しておき、ポイント値対応テーブル１５０には、特定のＷｅｂページについてのみ、ポイント値を対応づける情報を用意しておくようにし、それ以外のＷｅｂページについては、すべて標準となるポイント値を対応づけるようにしている。図９に示す例では、標準となるポイント値を１点としているので、ＵＲＬ（Ａ），ＵＲＬ（Ｄ）のように、ポイント値対応テーブル１５０内に特定のポイント値が定義されているＷｅｂページについては、この定義どおりのポイント値が採用され、それ以外のＷｅｂページについては、標準となる１点というポイント値が採用されることになる。
【００５７】
検索結果作成部１３０は、ポイント値対応テーブル１５０を参照することにより、抽出した各Ｗｅｂページについて、それぞれ対応するポイント値を決定し、個々のポイント標識には、その近傍にタイトルが表示されているＷｅｂページに対応するポイント値が示されるように、検索結果情報を作成する。たとえば、図９に示すようなポイント値対応テーブル１５０が用意されていた場合、Ｗｅｂブラウザ１０の画面上には、検索結果として、図１０に示すようなＷｅｂページが表示されることになる。ポイント標識Ｐ（Ａ），Ｐ（Ｄ）のポイント値が１０点，５点となっているのは、図９のテーブルにＵＲＬ（Ａ），ＵＲＬ（Ｄ）のポイント値が登録されているためであり、ポイント標識Ｐ（Ｂ），Ｐ（Ｃ），Ｐ（Ｅ）のポイント値が１点となっているのは、図９のテーブルには、これらに対応するＷｅｂページについてのポイント値の登録がないので、標準となるポイント値を採用したためである。
【００５８】
一方、前述した第１の実施形態との第２の相違点は、利用者が、ポイント標識Ｐをクリックした後の動作である。ここで述べる第２の実施形態の目的は、上述したとおり、ポイント標識Ｐ（Ａ）は、タイトルＴ（Ａ）のみに対応した標識であり、このポイント標識Ｐ（Ａ）に示されたポイントを得るためには、タイトルＴ（Ａ）に対応するＷｅｂページＡの閲覧を前提とする、というような運用を行うことである。そのためには、図１０に示すような検索結果を得た利用者が、１０点のサービスポイントを取得するために、ポイント標識Ｐ（Ａ）をクリックしたときに、このクリック動作により、１０点のサービスポイントの付与処理が行われるとともに、タイトルＴ（Ａ）に対応するＷｅｂページＡの提示が行われるようにすればよい。
【００５９】
そこで、この第２の実施形態では、図１０に示すような検索結果を得た利用者が、ポイント標識Ｐ（Ａ）をクリックすると、図１１に示すようなＷｅｂページへと移行するようにしている。この図１１に示すＷｅｂページは、ＵＲＬ（Ｘ）で示されるサービスポイント付与のためのＷｅｂページであり、その本質的な役割は、第１の実施形態で述べた図７に示すＷｅｂページの役割と同じである。ただ、図１１に示すＷｅｂページには、サービスポイントの付与処理が完了した後、タイトルＴ（Ａ）に対応するＷｅｂページＡへ移行するためのリンクボタンＬが付加されている。このリンクボタンＬには、「検索したページを表示」との説明が記載されているが、ここで「検索したページ」とは、図１０に示す検索結果画面において、「クリックしたポイント標識に対応するＷｅｂページ」という意味であり、利用者がポイント標識Ｐ（Ａ）をクリックすることにより図１１のＷｅｂページへ移行した場合であれば、ＵＲＬ（Ａ）で示されるＷｅｂページＡが、ここで言う「検索したページ」ということになる。したがって、上述の例の場合、利用者が、このリンクボタンＬをクリックすると、図６に示すＷｅｂページＡが表示されることになる。
【００６０】
なお、図１１の表示は、利用者に特定のサービスポイントの付与を通知するためのものであるから、リンクボタンＬを設けずに、所定の時間（たとえば、１０秒）だけ経過したら、自動的にＷｅｂページＡへと移行するような構成にしてもかまわない。
【００６１】
もちろん、図１０に示す検索結果画面において、利用者がポイント標識Ｐ（Ｂ）をクリックすることにより図１１のＷｅｂページへ移行した場合であれば、リンクボタンＬをクリックすることにより、ＵＲＬ（Ｂ）で示されるＷｅｂページＢが表示されることになる。結局、図１０に示すポイント標識Ｐ（Ａ）〜Ｐ（Ｅ）は、それぞれ表示されている特定のポイント値の付与処理を行った後に、それぞれタイトルＴ（Ａ）〜Ｔ（Ｅ）で示されるＷｅｂページＡ〜Ｅへ移行するためのリンクボタンとして機能することになる。図示の例では、「ポイントをゲットするならＸｐｏｉｎｔ  ボタンをクリックして下さい。」なる案内文を表示することにより、利用者に、サービスポイント取得のための操作を促している。なお、この実施例では、タイトルＴ（Ａ）〜Ｔ（Ｅ）をクリックすることにより、それぞれＷｅｂページＡ〜Ｅへ移行する選択枝も用意してあり、この場合は、サービスポイント付与のためのＷｅｂページ（図１１）を経由せずに、直接各ＷｅｂページＡ〜Ｅへと移行することになるので、サービスポイントの付与は行われない。要するに、タイトルＴ（Ａ）〜Ｔ（Ｅ）は、各ＷｅｂページＡ〜Ｅへ直接移行するためのリンクボタンとして機能するのに対して、ポイント標識Ｐ（Ａ）〜Ｐ（Ｅ）は、図１１に示すＷｅｂページを経由してから、各ＷｅｂページＡ〜Ｅへ移行するためのリンクボタンとして機能することになる。
【００６２】
ここで、図１０に示すタイトルＴ（Ａ）〜Ｔ（Ｅ）から各ＷｅｂページＡ〜Ｅへ直接移行するためのリンクや、ポイント標識Ｐ（Ａ）〜Ｐ（Ｅ）から図１１に示すポイント付与のためのＷｅｂページへのリンクは、常に固定されたＷｅｂページへ移行するための一般的なリンクであるから、Ｗｅｂページ内に予めリンク先のＵＲＬ（Ａ）〜（Ｅ）やＵＲＬ（Ｘ）を埋め込んでおけばよい。これに対して、図１１に示すポイント付与のためのＷｅｂページから各ＷｅｂページＡ〜Ｅへのリンクは、図１０に示すＷｅｂページにおいて、どのポイント標識をクリックしたかによって、最終的な移行先が異なる特殊なリンクになる。このような特殊なリンクを実現するには、利用者のクリック操作により、図１０に示すＷｅｂページから図１１に示すＷｅｂページへと遷移する際に、最終的な移行先となる特定のＷｅｂページのＵＲＬが引き渡されるようにすればよい。たとえば、図１０において、利用者が、ポイント標識Ｐ（Ａ）をクリックした場合には、最終的な移行先を示す特定のＵＲＬとして、ＵＲＬ（Ａ）が引き渡されるようにすればよい。ここで、ＵＲＬ（Ａ）は、タイトルＴ（Ａ）がクリックされた場合の移行先アドレスとして、埋め込まれているものをそのまま利用すればよい。
【００６３】
また、ここで述べる実施形態では、最終的な移行先を示す特定のＵＲＬとともに、利用者がクリックしたポイント標識によって示されている特定のポイント値も、図１１に示すポイント付与のためのＷｅｂページへの移行時に引き渡されるようにしている。具体的には、利用者が、図１０のポイント標識Ｐ（Ａ）をクリックすると、最終的な移行先を示す特定のＵＲＬとしてのＵＲＬ（Ａ）と、クリックしたポイント標識によって示される特定のポイント値としての１０点とが、図１１に示すポイント付与のためのＷｅｂページへと引き渡される。その結果、図１１に示すＷｅｂページでは、図示のとおり、この利用者に対して、新たに１０点のサービスポイント（図１０に示すＷｅｂページから引き渡された特定のポイント値）の付与が行われ、更に、この利用者がリンクボタンＬをクリックすると、図６に示すＷｅｂページＡ（図１０に示すＷｅｂページから引き渡された特定のＵＲＬでアドレスされるページ）へと移行することになる。
【００６４】
このように、図１０に示すＷｅｂページから図１１に示すＷｅｂページへ遷移する際に、特定のＵＲＬと特定のポイント値とを引き渡す処理は、結局、図８に示すＷｅｂサーバ１１０からＷｅｂサーバ２１０へのデータの引き渡し処理ということになる。実際には、このような処理は、Ｗｅｂブラウザ１０を介して行うことができる。すなわち、Ｗｅｂブラウザ１０の画面上に、図１０に示すＷｅｂページを表示させるための情報内に、ＵＲＬ（Ａ）〜ＵＲＬ（Ｅ）およびＵＲＬ（Ｘ）という種々のリンク先のＵＲＬや、各ポイント標識Ｐ（Ａ）〜Ｐ（Ｅ）で示される特定のポイント値に関する情報を含ませておくようにすれば、図１１に示すＷｅｂページを表示させた時点において、Ｗｅｂブラウザ１０からＷｅｂサーバ２１０に対して、特定のＵＲＬやポイント値のデータを引き渡すことができる。
【００６５】
結局、この第２の実施形態における図１０に示すＷｅｂページには、検索実行部１２０によって抽出された個々のＷｅｂページの少なくともタイトルがリストとして表示されるとともに、各タイトルの近傍に、それぞれ所定のポイント値をもったサービスポイントの付与が受けられる旨を示すポイント標識が表示されるようにしておき、タイトルをクリックすることにより当該タイトルに対応するＷｅｂページへのアクセスが実行され、ポイント標識をクリックすることにより、ポイント付与処理部２００へのアクセスが実行されるようにしておけばよい。この場合、当該ポイント標識に示されたポイント値と、当該ポイント標識の近傍に表示されているタイトルに対応するＷｅｂページのＵＲＬとが、それぞれ特定のポイント値および特定のＵＲＬとして指定され、ポイント付与処理部２００へ引き渡されるようにする。したがって、検索結果作成部１３０は、そのような機能をもったＷｅｂページの提示が可能になるように、所定のＵＲＬ情報およびポイント標識の表示に必要な情報を組み込んだ検索結果情報を作成する処理を行うことになる。
【００６６】
一方、ポイント付与処理部２００は、Ｗｅｂブラウザ１０から、特定のポイント値および特定のＵＲＬを指定するアクセスがあった場合に、アクセスを行った利用者を特定し、当該利用者に、指定を受けた特定のポイント値に相当するサービスポイントを付与する処理を行った後、Ｗｅｂブラウザ１０に、指定を受けた特定のＵＲＬをアクセスする処理を実行させる処理を行うことになる。
【００６７】
この第２の実施形態によれば、利用者にサービスポイントの付与という付加価値を与えることにより、当該検索用サイトを他の検索用サイトと差別化し、利用促進を図るというメリットが得られるだけでなく、特定の企業からサービスポイントに見合った対価を徴収する、という利潤が得られるメリットも享受できる。
【００６８】
たとえば、利用者が「ＡＤＳＬ」なるキーワードで検索を行った結果、図１０に示すような検索結果が得られたとしよう。この例では、ポイント標識Ｐ（Ａ）は１０点、ポイント標識Ｐ（Ｄ）は５点、その他のポイント標識は１点、となっているので、利用者は、「ＡＡＡ通信のＡＤＳＬ」なるタイトルのＷｅｂページＡを閲覧すれば１０点、「ＤＤＤハイパーサイト」なるタイトルのＷｅｂページＤを閲覧すれば５点、その他のＷｅｂページＢ，Ｃ，Ｅを閲覧すれば１点のサービスポイントが得られることを認識する。したがって、検索結果として得られた５つのＷｅｂページＡ〜Ｅの中では、他の条件が同じであれば、最も高いサービスポイントが得られるＷｅｂページＡが閲覧される可能性が最も高く、サービスポイントがその次に高いＷｅｂページＤが閲覧される可能性がその次に高くなる。
【００６９】
このように、当該検索用サイトでの検索結果において、付与されるサービスポイントが高く設定されているＷｅｂページは、それだけ他のＷｅｂページよりも高い閲覧率が期待できるので、当該検索用サイトを運営している事業体は、特定の企業に対して、当該企業のＷｅｂページについては標準より大きなポイント値を対応づけることを条件に、当該ポイント値に見合った対価を徴収する、というビジネスを展開することが可能になる。たとえば、図１０に示す例の場合、「ＡＡＡ通信」なる企業に対しては、１０点のポイント値をもったポイント標識Ｐ（Ａ）を対応づけることを条件に、２０円×アクセス回数の対価を徴収するという契約を締結することができ、また、「ＤＤＤハイパーサイト」を運営する企業に対しては、５点のポイント値をもったポイント標識Ｐ（Ｄ）を対応づけることを条件に、１０円×アクセス回数の対価を徴収するという契約を締結することができる。
【００７０】
もちろん、すべての企業が、このような契約に応じるとは期待できないが、契約を締結した企業のＷｅｂページに対しては、標準より大きなポイント値を対応づけるようにし、それ以外の企業のＷｅｂページに対しては、標準となるポイント値を対応づけるようにすれば十分である。図示の例では、標準となるポイント値を１点として、検索結果として表示されるすべてのＷｅｂページについて、最低１点のポイントを対応づけているが、もちろん、標準となるポイント値を０点に設定し、上記契約を締結した企業のＷｅｂページについてだけ、実質的なポイント付与が行われるようにしてもよい。
【００７１】
ただ、標準となるポイント値を０点ではなく、１点以上に設定しておくようにすると、次のような契約によるビジネス展開も可能になる。すなわち、特定の企業に対して、「ライバル会社のＷｅｂページに対して、標準より小さなポイント値を対応づける」ことを条件に、何らかの対価を徴収する、というビジネスを展開することが可能になる。
【００７２】
たとえば、図１０に示す例において、「ＡＡＡ通信」なる企業に対して、当該企業のＷｅｂページＡについて、標準より大きな１０点というポイントを対応づけることにより、何らかの対価を徴収する契約は、いわばポジティブな契約というべきものである。これに対して、もし「ＡＡＡ通信」なる企業が、ＷｅｂページＣを開設している「ＣＣＣインターネット」なる企業や、ＷｅｂページＥを開設している「ＥＥＥ社」なる企業を、ライバル企業として認識している場合には、「ＡＡＡ通信」なる企業に対して、「ライバル会社の開設するＷｅｂページＣ，Ｅに対して、標準より小さなポイント値を対応づける」ことを条件に、たとえば、２万円／月の対価を徴収するという契約を締結することが可能になる。このような契約は、いわばネガティブな契約というべきものであるが、実際に何らかのネガティブな行為を積極的に行うわけではなく、サービスポイントという自発的な特典の提供を行わない、という消極的な行為を行うだけであり、商慣習上も特に問題は生じないものと考えられる。
【００７３】
図１２は、上述したポジティブな契約とネガティブな契約との双方を行った場合のポイント値対応テーブル１５０の内容の一例を示す図である。この例では、標準となるポイント値が１点に設定されており、テーブル内に登録が行われていないＷｅｂページについては、一律、１点のポイント値が対応づけられることになるが、ＵＲＬ（Ａ）については１０点、ＵＲＬ（Ｄ）については５点、ＵＲＬ（Ｃ），ＵＲＬ（Ｅ）については０点という登録がなされているので、このようなテーブルに基づいて提示される検索結果表示用のＷｅｂページは、図１３に示すようなものになる。ＷｅｂページＡ，Ｄについてのポイント標識Ｐ（Ａ），Ｐ（Ｄ）が、それぞれ１０点，５点となっているのは、各社がそれぞれポジティブな契約を締結したためである。これに対して、ＷｅｂページＣ，Ｅについてのポイント標識Ｐ（Ｃ），Ｐ（Ｅ）が、いずれも０点となっているのは、「ＡＡＡ通信」なる企業が、上述したネガティブな契約を締結したためである。
【００７４】
このように、ポジティブな契約とネガティブな契約との双方を取り入れて、検索用サイトの運営を行う場合には、ポイント値対応テーブル１５０に、一部のＷｅｂページ（通常は、ポジティブな契約を行った企業のＷｅｂページ）については、標準より大きなポイント値を対応づける情報を用意するようにし、別な一部のＷｅｂページ（通常は、ネガティブな契約を行った企業が指定したライバル企業のＷｅｂページ）については、標準より小さなポイント値を対応づける情報を用意すればよい。この場合、検索結果作成部１３０は、ポイント値対応テーブル１５０に情報が用意されているＷｅｂページについては、当該情報に基づいてポイント値を対応づけ、ポイント値対応テーブル１５０に情報が用意されていないＷｅｂページについては、標準となるポイント値を対応づけるようにすればよい。
【００７５】
なお、図１３に示す例では、ポイント値０が対応づけられたＷｅｂページＣ，ＥのタイトルＴ（Ｃ），Ｔ（Ｅ）の近傍に、ポイント値０を示すポイント標識Ｐ（Ｃ），Ｐ（Ｅ）が表示されているが、ポイント値０が対応づけられたＷｅｂページのタイトル近傍には、ポイント標識が表示されないようにすることも可能である。そのような表示例を図１４に示す。ポイント値０を示すポイント標識Ｐ（Ｃ），Ｐ（Ｅ）の表示が省略されたため、全体的に内容がすっきりとしており、サービスポイントが得られるＷｅｂページが強調された結果となっている。このように、本発明を実施する上では、ポイント標識は、必ずしも検索結果として表示されるすべてのタイトルの近傍に表示する必要はなく、一部のタイトルの近傍に表示するだけでもかまわない。
【００７６】
この図１４に示すような検索結果が提示された場合、「ＡＡＡ通信」なる企業のＷｅｂページＡを閲覧した場合と、そのライバル企業のＷｅｂページＣ，Ｅを閲覧した場合とで、サービスポイントの特典に関する差が極めて明確になっており、ＷｅｂページＡの閲覧確率が、ライバル企業のＷｅｂページＣ，Ｅの閲覧確率よりもかなり高くなることは明白である。
【００７７】
一般に、検索用サイトにアクセスし、特定のキーワードを用いて検索を行った利用者は、何らかの目的をもっているものと考えられる。別言すれば、当該利用者は、検索に用いたキーワードに関する何らかの情報を積極的に得たいと考えているはずである。そのような意味で、何らかの検索を行った利用者は、ただ漫然とＷｅｂページのリンクを辿って閲覧を行っている者に比べて、より積極的な購買意欲や知識欲を有していると考えられる。したがって、検索を行った利用者を自己のＷｅｂページへと誘導することは、商業上極めて重要である。たとえば、図１４に示すような検索結果を得た利用者は、「ＡＤＳＬ」に関する情報を収集することに対して何らかの目的を有しており、ＡＤＳＬ回線に加入する意図があったり、ＡＤＳＬ関連製品を購入する意図があったりする可能性が高い。このため、ＡＤＳＬ関連事業を行っている企業としては、この図１４に示す検索結果表示画面から、自己のＷｅｂページへと誘導することは、非常に重要な意義をもっている。このような観点から、上述したポジティブな契約やネガティブな契約は、いわゆるＷｅｂページ上のバナー広告よりも効果的な契約と言うことができ、本発明は、ビジネス展開上においても、極めて重要な技術ということができる。
【００７８】
なお、この第２の実施形態のひとつの特徴は、図１０に示すような検索結果表示画面から、最終的に表示すべきＷｅｂページＡ〜Ｅへ移行する際に、図１１に示すポイント付与用のＷｅｂページを経由する形式にする、という点にあるが、このような特徴をもったＷｅｂページ検索システムを構成する上では、ポイント値対応テーブル１５０は必須の構成要素ではない。たとえば、図１に示す構成においても、ＷｅｂページＡ〜Ｅへ移行する際に、ポイント付与用のＷｅｂページを経由する形式にすることは可能である。ただ、この場合、個々のＷｅｂページごとにそれぞれ別個独立したポイント値を対応づけることができないため、前述したようなビジネス展開を行う上では、ポイント値対応テーブル１５０を設けるようにした方が好ましい。
【００７９】
＜＜＜  §３．  いくつかの変形例  ＞＞＞
最後に、本発明のいくつかの変形例を述べておく。
【００８０】
＜変形例１＞
図１５は、上述した第２の実施形態の変形例を示すブロック図である。第２の実施形態では、図１０に示すＷｅｂページから図１１に示すＷｅｂページへ遷移する際に、特定のＵＲＬ（最終的に表示すべきＷｅｂページのＵＲＬ）と特定のポイント値（利用者に付与すべきポイント値）との双方を引き渡す方法を述べた。しかしながら、特定のポイント値については、必ずしもＷｅｂブラウザ１０経由で引き渡す処理を行う必要はない。
【００８１】
図１５に示すシステムでは、ポイント処理実行部２２０とポイント値対応テーブル１５０とが接続されており、ポイント処理実行部２２０は、特定のＵＲＬに基づいてポイント値対応テーブル１５０を参照し、当該特定のＵＲＬに対応づけられた特定のポイント値を認識することができる。たとえば、図１０に示すＷｅｂページにおいて、利用者が、ポイント標識Ｐ（Ａ）をクリックした場合、上述した第２の実施形態では、ＵＲＬ（Ａ）とポイント値１０点とが、Ｗｅｂブラウザ１０を介してポイント付与処理部２００へと伝えられることになったが、ここで述べる変形例の場合、ＵＲＬ（Ａ）のみが伝えられれば、ポイント処理実行部２２０が、ポイント値対応テーブル１５０を直接参照して、ＵＲＬ（Ａ）に対応するポイント値が１０点であることを認識することができる。
【００８２】
すなわち、この変形例では、ポイント付与処理部２００は、Ｗｅｂブラウザ１０から、特定のＵＲＬを指定するアクセスがあった場合に、ポイント値対応テーブル１５０を参照することにより、指定された特定のＵＲＬに対応する特定のポイント値を認識し、当該アクセスを行った利用者を特定した上で、当該利用者に特定のＵＲＬに応じた特定のポイント値に相当するサービスポイントを付与する処理を行った後、Ｗｅｂブラウザ１０に特定のＵＲＬをアクセスする処理を実行させる処理を行えばよい。
【００８３】
あるいは、ポイント値対応テーブル１５０を、検索サービス提供部１００側ではなく、ポイント付与処理部２００側に設けておくことも可能である。この場合、ポイント値対応テーブル１５０はポイント付与処理部２００内の構成要素になるので、検索結果作成部１３０がポイント標識を作成する際には、このポイント付与処理部２００内に設けられたポイント値対応テーブル１５０を参照して、各Ｗｅｂページに対応づけられた所定のポイント値を認識する処理を行えばよい。
【００８４】
もちろん、同一の内容をもったポイント値対応テーブル１５０を２組用意しておき、一方を検索サービス提供部１００内に設け、他方をポイント付与処理部２００内に設けるという手法をとることも可能である。
【００８５】
＜変形例２＞
第２の実施形態では、図１０に示す検索結果表示用のＷｅｂページから、図１１に示すサービスポイント付与処理用のＷｅｂページを経て、たとえば、図６に示すような最終目的となるＷｅｂページＡへと移行する形態を採ったが、ここで述べる変形例では、逆に、図１０に示す検索結果表示用のＷｅｂページから、直接、図６に示すような最終目的となるＷｅｂページＡへと移行した後、図１１に示すサービスポイント付与処理用のＷｅｂページに至る形態を採る。
【００８６】
具体的には、次のようにすればよい。まず、検索結果表示用のＷｅｂページとしては、たとえば、図１６に示すようなＷｅｂページが表示されるようにする。この例では、ポイント標識Ｐ（Ａ），Ｐ（Ｄ）のみが表示され、他のポイント標識は表示されていない。ここで、これらポイント標識Ｐ（Ａ），Ｐ（Ｄ）は、単なる標識であって、リンクボタンとしての機能は有していない。したがって、ポイント標識Ｐ（Ａ），Ｐ（Ｄ）をクリックしても、新たなＷｅｂページが表示されることはない。このＷｅｂページから、検索結果となる特定のＷｅｂページへと移行するためには、従来の一般的な検索用サイトにおける検索結果表示画面と同様に、所望のタイトルＴ（Ａ）〜Ｔ（Ｅ）をクリックする必要がある。
【００８７】
ここで、たとえば、タイトルＴ（Ａ）をクリックしたとすると、図１７に示すように、ＷｅｂページＡが表示される。ただ、このＷｅｂページＡは、図６に示すＷｅｂページＡとは若干異なっている。すなわち、この図１７に示すＷｅｂページＡには、ポイント標識Ｐ（Ａ）が表示されており、このポイント標識Ｐ（Ａ）は、ＵＲＬ（Ｘ）へのリンクボタンとして機能する。したがって、利用者が、この図１７に示すポイント標識Ｐ（Ａ）をクリックすると、図１１に示すようなポイント付加処理用のＷｅｂページ（リンクボタンＬはなくてよい）へと移行することができ、１０点のポイントが得られることになる。
【００８８】
結局、この変形例の場合、図１６に示す検索結果表示用Ｗｅｂページは、検索結果として得られた各ＷｅｂページのタイトルＴ（Ａ）〜Ｔ（Ｅ）を提示するとともに、各タイトルに対応するＷｅｂページＡ〜Ｅに、サービスポイント付与の特典が与えられているか否かを提示する機能を果たすことになる。たとえば、図１６の例の場合、ポイント標識Ｐ（Ａ），Ｐ（Ｄ）は、単なる標識に過ぎないが、タイトルＴ（Ａ）をクリックすることにより移行できるＷｅｂページＡには、１０点のサービスポイント付与の特典が与えられ、タイトルＴ（Ｄ）をクリックすることにより移行できるＷｅｂページＤには、５点のサービスポイント付与の特典が与えられていることを示す機能を果たす。このような形態を採った場合でも、より高いポイントの付与が期待できるＷｅｂページが選択される確率が高くなるのは当然であり、特定の企業に対して、第２の実施形態で述べた契約を締結することにより、所定の対価を得るビジネスが可能になる。
【００８９】
ただし、この変形例の形態を採る場合、サービスポイントの付与対象となるＷｅｂページにも、若干の細工を施しておく必要がある。すなわち、図１７に示すとおり、当該Ｗｅｂページ内に、ポイント標識Ｐ（Ａ）を設け、図１１に示すポイント付加処理用のＷｅｂページ（ＵＲＬ（Ｘ））へのリンクを張っておく必要ある。もちろん、既存のＷｅｂページＡに、ポイント標識Ｐ（Ａ）を追加し、ＵＲＬ（Ｘ）へのリンクを定義するような作業自体は、技術的には比較的単純な作業である。ただ、ＷｅｂページＡは、この検索用サイトを運営している事業体（別言すれば、本発明に係るＷｅｂページ検索システムを管理している事業体）とは別個の企業が開設したＷｅｂページであるから、このＷｅｂページＡに上述のような細工を施すためには、当該企業（この例では、「ＡＡＡ通信」なる企業）の了解および協力が必要になることは言うまでもない。
【００９０】
したがって、ここで述べる変形例を実行するには、Ｗｅｂページを開設している特定の企業とコンタクトをとり、前述したポジティブな契約を締結することが前提となる。たとえば、図１６に示すような検索結果表示画面を提示するには、「ＡＡＡ通信」なる企業と、「ＤＤＤハイパーサイト」なるサイトを開設している企業とにコンタクトをとり、それぞれポジティブな契約を締結し、各ＷｅｂページＡ，Ｄに、それぞれ上述の細工を施す必要がある。よって、ポイント値対応テーブル１５０には、このような契約を締結した企業の特定のＷｅｂページのみが登録されることになり、ここに登録された各Ｗｅｂページには、必ず、ポイント付与処理部２００へのリンクが定義されていることになる。
【００９１】
このような事情を考慮すると、この変形例では、不特定多数のＷｅｂページについて、一律に１点というような標準となるポイント値を対応づけることはできず、ポイント値が対応づけられたＷｅｂページには、必ずポジティブな契約がなされていることになる。また、当然、前述したネガティブな契約という運用も行うことはできない。
【００９２】
なお、この変形例を実施するにあたって、ポイント付与処理部２００は、Ｗｅｂブラウザ１０からのアクセスに応じて、アクセスを行った利用者を特定し、当該利用者に所定のサービスポイントを付与する処理を行う機能を有していればよい。具体的には、Ｗｅｂブラウザ１０から、特定のＷｅｂページ（たとえば、ＷｅｂページＡ）からのリンクを経てポイント付与処理部２００にアクセスがあった場合に、リンク元となるＷｅｂページに対応する特定のポイント値（たとえば、１０点）に相当するサービスポイントを付与する処理を実行すればよい。この場合、付与すべき特定のポイント値は、Ｗｅｂブラウザ１０を介して、ポイント付与処理部２００へ伝えるようにすればよい。あるいは、リンク元となるＷｅｂページのＵＲＬをポイント付与処理部２００へ伝えるようにし、ポイント付与処理部２００側でポイント値対応テーブル１５０を参照することにより、付与すべきポイント値を認識するような構成にしてもかまわない。
【００９３】
なお、上述の説明では、図１６に示すポイント標識Ｐ（Ａ），Ｐ（Ｄ）は、単なる標識であり、リンクボタンとしての機能をもたないと述べたが、各ポイント標識には、その近傍に表示されたタイトルと同様のリンク機能をもたせるようにしてもかまわない。たとえば、ポイント標識Ｐ（Ａ）に、タイトルＴ（Ａ）と同様に、ＷｅｂページＡへのリンク機能をもたせておくようにすれば、利用者は、ポイント標識Ｐ（Ａ）をクリックした場合も、タイトルＴ（Ａ）をクリックした場合も、図１７に示すようなＷｅｂページＡへ移行することができるようになる。
【００９４】
＜変形例３＞
この変形例３は、これまで述べてきた実施形態やその変形例に、付加的な機能を与えるものである。本発明に係るＷｅｂページ検索システムでは、検索条件入力部１１１に対して所定のキーワードが入力され、このキーワードに基づいて検索が行われることになる。また、ポイント処理実行部２２０において、特定の利用者に特定のポイント値が付与され、こうして付与されたポイント値の累積値が、利用者データベース２３０に保存される。しかも、この利用者データベース２３０内には、個々の利用者の個人情報（住所、氏名、年齢、性別、職業、趣味など）が格納されている。
【００９５】
このような本発明に係るＷｅｂページ検索システムの特性を考慮すれば、各個人情報とキーワードとの相関関係を統計的に求め、その結果を商業的に利用することが可能になる。そのためには、まず、Ｗｅｂブラウザ１０からポイント付与処理部２００へのアクセス時に、当該アクセスを行っている利用者が入力したキーワードが引き渡されるようにしておく。検索に用いたキーワードは、Ｗｅｂサーバ１１０内に格納されているので、このキーワードを、Ｗｅｂブラウザ１０を仲介させて、Ｗｅｂサーバ２１０へと引き渡すことは可能である。また、ポイント処理実行部２２０は、アクセスのあった利用者を特定した上で、当該利用者に所定のポイント値を付与する処理を行うので、どの利用者がどのキーワードを用いて検索を行ったか、という事実を示す情報を集めることができる。
【００９６】
こうして集めた情報から、どの利用者がどのようなものに興味をもっているか、どのような商品に購買意欲を示しているか、といった個人レベルでの解析を行うことが可能になるのはもちろんのこと、個人情報とキーワードとの相関関係を統計的に求めることも可能になる。たとえば、「ＡＤＳＬ」なるキーワードで検索を行った利用者の年齢分布や住所の分布を統計的に求めることができれば、ブロードバンド技術に興味を示すユーザの年齢構成や地理的分布などの情報を得ることが可能になる。結局、ポイント処理実行部２２０に、このような統計的な解析を行う処理機能をもたせておけば、このＷｅｂページ検索システムを運用してゆく間に、自動的に有用な統計情報を入手することができるようになる。
【００９７】
＜変形例４＞
これまで述べた実施形態では、特定のＷｅｂページには、必ず特定のポイント値が対応づけられていたが、個々のＷｅｂページに対応づけるポイント値は、必ずしも固定にする必要はなく、時期に応じて変動させるようにすることも可能である。たとえば、ポイント値対応テーブル１５０に、図９に示すようなデータが登録されていた場合、基本的には、このテーブルに基づいて、各Ｗｅｂページに対応づけるポイント値を決定することになるが、たとえば、「祭日は２倍のポイントにする」というようなルールにより、実際にポイント標識によって示されるポイントおよび実際にポイント付与処理部２００によって付与するポイントを変動させることも可能である。もちろん、乱数を用いるなどして、ポイントをランダムに変動させることも可能である。
【００９８】
＜変形例５＞
§２で述べた第２の実施形態や、上述の変形例１では、図１０に示すＷｅｂページから図１１に示すＷｅｂページへ遷移する際に、特定のＵＲＬ（最終的に表示すべきＷｅｂページのＵＲＬ）あるいは特定のポイント値（利用者に付与すべきポイント値）を、Ｗｅｂブラウザ１０経由で引き渡す例を述べたが、引き渡す情報としては、必ずしも特定のＵＲＬや特定のポイント値それ自身でなくてもかまわない。別言すれば、Ｗｅｂブラウザ１０がポイント付与処理部２００をアクセスしたときに、特定のＵＲＬあるいは特定のポイント値を何らかの方法でポイント付与処理部２００に対して指定することが可能であれば、必ずしも特定のＵＲＬ自身あるいは特定のポイント値自身をＷｅｂブラウザ１０経由で引き渡す必要はない。
【００９９】
一般に、Ｗｅｂブラウザ１０が特定のサイトをアクセスする際に、当該サイトに対して付加的な情報を伝達したい場合、当該サイトのＷｅｂサーバのアドレスに後続して、このＷｅｂサーバ内の特定のファイルへのパスを付加したＵＲＬを用いる手法は広く利用されている。たとえば、図８に示すＷｅｂサーバ２１０へのアクセスを行う場合、Ｗｅｂサーバ２１０自身のＵＲＬが、ｈｔｔｐ：／／ｗｗｗ．ｘｘｘ．ｎｅ．ｊｐであったとしても、ｈｔｔｐ：／／ｗｗｗ．ｘｘｘ．ｎｅ．ｊｐ／ｙｙｙ／ｚｚｚ／ｆ１２３ａのようなＵＲＬを用いてアクセスを行えば、Ｗｅｂサーバ２１０内の特定のロケーションに格納されたファイルｆ１２３ａへ直接アクセスすることが可能である。そこで、たとえば、ファイルｆ１２３ａへの直接アクセスがあった場合には、ＵＲＬ（Ａ）を指定したアクセスとして取り扱い、ファイルｆ１２３ｂへの直接アクセスがあった場合には、ＵＲＬ（Ｂ）を指定したアクセスとして取り扱う、というように定めておけば、特定のＵＲＬ自身を直接引き渡すという手法は採っていないものの、検索サービス提供部１００からポイント付与処理部２００に対して、特定のＵＲＬを示す情報を伝えることが可能である。もちろん、ファイルｆ１２３ａへの直接アクセスがあった場合には、ポイント値１０点を指定したアクセスとして取り扱うようにすれば、特定のポイント値を示す情報を伝えることも可能になる。また、上記ｆ１２３ａの部分に、特定のプログラムに対する何らかの引数を付加しておくことも可能であり、この引数を利用して、特定のＵＲＬや特定のポイント値を伝えるようにする手法を採ることもできる。
【０１００】
たとえば、図１０に示すポイント標識Ｐ（Ａ）についてのリンク先をｈｔｔｐ：／／ｗｗｗ．ｘｘｘ．ｎｅ．ｊｐ／ｙｙｙ／ｚｚｚ／ｆ１２３ａのようなＵＲＬで定義しておき、ポイント付与処理部２００側では、Ｗｅｂブラウザ１０から上記ＵＲＬを用いてファイルｆ１２３ａへの直接アクセスがあった場合には、当該アクセスを行ってきた利用者に対して１０点のポイント付与を行った後、ＵＲＬ（Ａ）で示されるＷｅｂページＡへと移行させる処理が行われるようにすればよい。この場合、上記ＵＲＬのうちの「ｙｙｙ／ｚｚｚ／ｆ１２３ａ」の部分が、特定のポイント値（１０点）および特定のＵＲＬ（ＵＲＬ（Ａ））を指定する情報として機能していることになる。
【０１０１】
＜変形例６＞
これまで、説明の便宜上、いくつかのＷｅｂページの具体例を示したが、もちろん、本発明を実施する上でＷｅｂブラウザ１０の画面上に提示されるＷｅｂページの構成は、これらの具体例に限定されるものではない。
【０１０２】
たとえば、図７あるいは図１１に示すサービスポイント付与のためのＷｅｂページでは、今回付与されたサービスポイントのポイント値とともに、これまでの累積ポイントが表示されるようになっているが、このようにその時点で累積ポイントを即座に提示するためには、ポイント処理実行部２２０が、利用者データベース２３０内の累積ポイントをリアルタイムで更新する機能を有していることが前提となる。したがって、運用上、このようなリアルタイムでの累積ポイントの更新を行うことが困難な場合には、図示の例のように、サービスポイント付与のためのＷｅｂページ上で累積ポイントを敢えて提示する必要はない。実用上は、たとえば、累積ポイント確認用の別のＷｅｂページを用意しておき、このＷｅｂページにアクセスすることにより、昨日までの累積ポイントを確認できるような運用を行うことができる。もちろん、この別なＷｅｂページ上では、サービスポイントを景品と引き換えるための情報などを提示することも可能である。
【０１０３】
また、検索結果を一覧リストとして提示するＷｅｂページの例として、本願各図には、検索によりヒットしたＷｅｂページのタイトル、概要説明文、ポイント標識が示されているが、本発明を実施する上では、検索結果を提示するＷｅｂページでは、少なくともＷｅｂページのタイトルと、これらＷｅｂページの全部もしくは一部に対応したポイント標識が表示されていれば足り、概要説明文は省略してもかまわない。また、本願各図に示す一覧リストの例では、各ＷｅｂページのＵＲＬの表示は行われていないが、通常、ＷｅｂページのタイトルとＵＲＬとは同義に扱われており、必要に応じて、各Ｗｅｂページのタイトルや概要説明文とともに、ＵＲＬを表示するようにしてもかまわない。また、タイトルをクリックすることにより当該Ｗｅｂページへ移行するような構成をとる代わりに、ＵＲＬをクリックすることにより当該Ｗｅｂページへ移行する構成をとってもよい。
【０１０４】
上述の実施例では、たとえば、図５に示す画面からタイトルＴ（Ａ）をクリックして図６に示す画面へ移行したり、図５に示す画面からポイント標識Ｐ（Ａ）をクリックして図７に示す画面へ移行したりする画面遷移の動作を、Ｗｅｂブラウザ１０の同一のウインドウ内のＷｅｂページ表示領域１２で行っていたが、このような画面遷移の動作は、必ずしも同一のウインドウ内で行う必要はなく、画面遷移する際に、新たなウインドウが開くような構成にすることも可能である。たとえば、図５に示す画面からタイトルＴ（Ａ）をクリックした場合、図５に示す画面はこのウインドウ内にそのまま残り、図６に示す画面は新たに開いた第２のウインドウ内に表示されるようにすれば、図５に示す画面は表示されたままであるから、Ｗｅｂブラウザの戻りボタンを用いることなしに、ポイント標識Ｐ（Ａ）をクリックして、図７に示す画面を表示させることが可能になる。もちろん、この図７に示す画面も、新たに開いた第３のウインドウ内に表示させることも可能である。
【０１０５】
また、上述の実施例では、Ｗｅｂブラウザ１０からＷｅｂサーバ２１０に対してアクセスがあった場合、Ｗｅｂブラウザ１０の画面上に、図７あるいは図１１に示すようなポイント付与のためのＷｅｂページを表示させるようにしているが、このようなＷｅｂページの提示は必ずしも必要なものではなく、省略することも可能である。図７あるいは図１１に示すようなＷｅｂページの提示は、利用者に対して、ポイント付与処理が行われたことを確認させる意味をもつが、省略したとしても特に支障は生じない。この場合、Ｗｅｂブラウザ１０からＷｅｂサーバ２１０に対して、ポイント付与処理のためのアクセスはあるものの、Ｗｅｂサーバ２１０からＷｅｂブラウザ１０に対して、ＨＴＭＬ形式のデータ送信は行われないので、Ｗｅｂサーバ２１０へのアクセスがあったことは、利用者に認識されないことになる。したがって、これを§２で述べた第２の実施形態に適用した場合、Ｗｅｂブラウザ１０の画面上では、図１０に示すポイント標識Ｐ（Ａ）をクリックすると、直接図６のＷｅｂページＡへと移行したように見えることになる。
【０１０６】
【発明の効果】
以上のとおり、本発明に係るＷｅｂページ検索システムによれば、検索サービスを利用することにより、サービスポイントが付与されるようにしたため、他の検索サイトとの差別化を図り、利用者のアクセス回数を向上させることが可能になる。また、Ｗｅｂページを開設する企業に対して、付与するポイント値に見合った対価を徴収する、というビジネスを展開することも可能になる。
【図面の簡単な説明】
【図１】本発明の第１の実施形態に係るＷｅｂページ検索システムの基本構成を示すブロック図である。
【図２】Ｗｅｂブラウザの画面上に表示される検索用キーワード入力用の一般的なＷｅｂページの構成例を示す図である。
【図３】Ｗｅｂブラウザの画面上に表示される検索結果表示用の一般的なＷｅｂページの構成例を示す図である。
【図４】図１に示すＷｅｂぺージデータベース１４０内に登録されるデータの具体例を示す図である。
【図５】本発明の第１の実施形態に係るＷｅｂページ検索システムによる検索結果として表示されるＷｅｂページの構成例を示す図である。
【図６】図５の検索結果におけるタイトルＴ（Ａ）の部分にリンクしたＷｅｂページを示す図である。
【図７】図５の検索結果におけるポイント標識Ｐ（Ａ）の部分にリンクしたＷｅｂページを示す図である。
【図８】本発明の第２の実施形態に係るＷｅｂページ検索システムの基本構成を示すブロック図である。
【図９】図８に示すシステムにおけるポイント値対応テーブル１５０の内容の一例を示す図である。
【図１０】本発明の第２の実施形態に係るＷｅｂページ検索システムによる検索結果として表示されるＷｅｂページの構成例を示す図である。
【図１１】図１０の検索結果におけるポイント標識Ｐ（Ａ）の部分にリンクしたＷｅｂページを示す図である。
【図１２】図８に示すシステムにおけるポイント値対応テーブル１５０の内容の別な一例を示す図である。
【図１３】図１２に示すポイント値対応テーブル１５０の内容に基づいて提示される検索結果表示用のＷｅｂページの一例を示す図である。
【図１４】図１２に示すポイント値対応テーブル１５０の内容に基づいて提示される検索結果表示用のＷｅｂページの別な一例を示す図である。
【図１５】図８に示す第２の実施形態に係るＷｅｂページ検索システムの変形例を示すブロック図である。
【図１６】図８に示す第２の実施形態に係るＷｅｂページ検索システムの別な変形例における検索結果表示画面を示す図である。
【図１７】図１６に示す検索結果表示画面からのリンクにより表示されるＷｅｂページの例を示す図である。
【符号の説明】
１０…端末装置（Ｗｅｂブラウザ）
１１…ブラウザ操作領域
１２…Ｗｅｂページ表示領域
１００…検索サービス提供部
１１０…Ｗｅｂサーバ
１１１…検索条件入力部
１１２…検索結果送信部
１２０…検索実行部
１３０…検索結果作成部
１４０…Ｗｅｂぺージデータベース
１５０…ポイント値対応テーブル
２００…ポイント付与処理部
２１０…Ｗｅｂサーバ
２２０…ポイント処理実行部
２３０…利用者データベース
Ａ〜Ｅ…Ｗｅｂページ
Ｌ…リンクボタン
Ｎ…利用者名表示欄
Ｐ（Ａ）〜Ｐ（Ｅ）…Ｗｅｂページのポイント標識
Ｓ（Ａ）〜Ｓ（Ｅ）…Ｗｅｂページの概要説明文
Ｔ（Ａ）〜Ｔ（Ｅ）…Ｗｅｂページのタイトル
【図１】
2004234290.tif 000003
【図２】
2004234290.tif 000004
【図３】
2004234290.tif 000005
【図４】
2004234290.tif 000006
【図５】
2004234290.tif 000007
【図６】
2004234290.tif 000008
【図７】
2004234290.tif 000009
【図８】
2004234290.tif 000010
【図９】
2004234290.tif 000011
【図１０】
2004234290.tif 000012
【図１１】
2004234290.tif 000013
【図１２】
2004234290.tif 000014
【図１３】
2004234290.tif 000015
【図１４】
2004234290.tif 000016
【図１５】
2004234290.tif 000017
【図１６】
2004234290.tif 000018
【図１７】
2004234290.tif 000019